(57)【要約】【課題】フレームを床スラブに設置した状態での配管作業を行い易く、洗い場パンを全領域に亘って安定して支持できる浴室床を提供する。【解決手段】浴室床２０は、表面が洗い場床となっている洗い場パン３０と、洗い場パン３０の周縁部３１を載せた状態で支持する洗い場用フレーム２１（フレーム）と、洗い場用フレーム２１から下方へ延びて床スラブ１５に載置される第１支持脚２８と、洗い場パン３０のうち周縁部３１で囲まれた領域に設けられ、下方へ延びて床スラブ１５に載置される第２支持脚４０とを備えている。【選択図】図１
2014009523.tif 000002
【特許請求の範囲】
【請求項１】
表面が洗い場床となっている洗い場パンと、
前記洗い場パンの周縁部を載せた状態で支持するフレームと、
前記フレームから下方へ延びて床スラブに載置される第１支持脚と、
前記洗い場パンのうち前記周縁部で囲まれた領域に設けられ、下方へ延びて前記床スラブに載置される第２支持脚とを備えていることを特徴とする浴室床。
【請求項２】
前記フレームが、
洗い場の３面の内壁に沿うように配置されて、前記洗い場パンの前記周縁部を支持する３本の壁沿い梁と、
洗い場と浴槽との境界に沿うように配置されて、前記洗い場パンの前記周縁部を支持する１本の境界梁と、
前記境界梁と略平行をなし、前記境界梁と平行な前記壁沿い梁よりも前記境界梁側に寄った位置に配置された内梁とを備えて構成され、
前記第１支持脚が、前記内梁に設けられていることを特徴とする請求項１記載の浴室床。
【請求項３】
洗い場と浴槽とが並ぶ方向において、前記第２支持脚が前記洗い場パンの中央よりも前記浴槽側に寄った位置に配置されていることを特徴とする請求項１又は請求項２記載の浴室床。
【発明の詳細な説明】
【技術分野】
【０００１】
本発明は、浴室床に関する。
【背景技術】
【０００２】
特許文献１には、浴室の床スラブ上に設置される浴室床として、床スラブに載置される方形のフレームと、フレームに載置される洗い場パンとを備えたものが開示されている。フレームには、洗い場パンを下から支えるために格子状の桟部が張り渡されている。
【先行技術文献】
【特許文献】
【０００３】
【特許文献１】特開２００６−１６９８０５号公報
【発明の概要】
【発明が解決しようとする課題】
【０００４】
上記の浴室床は、フレームを床スラブに設置した状態で、洗い場パン上の水を排出するための配管作業を行う場合、格子状に張り渡した桟が邪魔になって作業がし難いという問題がある。具体的には、桟があることにより洗い場パンの上面側からフレームの下へ配管を通すことができないので側面から配管を通さなければならないという点や、格子状の桟の隙間から手を差し入れて配管作業を行わなければならないという点により、作業し難いという問題がある。また、配管に干渉しないように桟の位置を高くする必要があるため、洗い場パンの設置高さが高くなってしまうという問題もある。
本発明は、上記従来の実情に鑑みてなされたものであって、フレームを床スラブに設置した状態での配管作業を行い易く、洗い場パンを全領域に亘って安定して支持できる浴室床を提供することを解決すべき課題としている。
【課題を解決するための手段】
【０００５】
本発明の浴室床は、
表面が洗い場床となっている洗い場パンと、
前記洗い場パンの周縁部を載せた状態で支持するフレームと、
前記フレームから下方へ延びて床スラブに載置される第１支持脚と、
前記洗い場パンのうち前記周縁部で囲まれた領域に設けられ、下方へ延びて前記床スラブに載置される第２支持脚とを備えていることを特徴とする。
【発明の効果】
【０００６】
この浴室床は、洗い場パンの周縁部をフレームと第１脚部とで支持するとともに、洗い場パンのうち周縁部で囲まれた領域を第２脚部で支持しているので、洗い場パンを全領域に亘って安定して支持することができる。また、フレームの中央部には、洗い場パンを支持するための格子状の桟を張り渡す必要がないので、フレームを床スラブに設置した状態で、洗い場パン上の水を排出するための配管作業を行う際の作業性に優れている。
【図面の簡単な説明】
【０００７】
【図１】本実施例の浴室床の分解斜視図
【図２】浴室に洗い場用フレームと浴槽用フレームを設置した状態をあらわす平面図
【図３】浴室に洗い場用フレーム、洗い場パン、及び浴槽を設置した状態をあらわす平面図
【図４】浴室に洗い場用フレーム、洗い場パン、及び浴槽を設置した状態をあらわす断面図
【図５】長辺梁と洗い場パンとの固定構造をあらわす部分拡大断面図
【図６】浴室に洗い場用フレームを設置した状態をあらわす断面図
【図７】洗い場用フレームに排水トラップと排水パイプを取り付けた状態をあらわす断面図
【図８】図７の状態から、洗い場パンを設置する様子をあらわす断面図
【図９】洗い場用フレームに洗い場パンを取り付けた状態において、浴槽用フレームを取り付ける様子をあらわす断面図
【図１０】浴槽用フレームを設置した状態をあらわす断面図
【図１１】図３のＸ−Ｘ線断面図
【図１２】図３のＹ−Ｙ線断面図
【図１３】洗い場パンと目皿との取付け構造をあらわす部分拡大平面図
【図１４】目皿の平面図
【図１５】目皿の底面図
【発明を実施するための形態】
【０００８】
本発明の浴室床は、
前記フレームが、
洗い場の３面の内壁に沿うように配置されて、前記洗い場パンの前記周縁部を支持する３本の壁沿い梁と、
洗い場と浴槽との境界に沿うように配置されて、前記洗い場パンの前記周縁部を支持する１本の境界梁と、
前記境界梁と略平行をなし、前記境界梁と平行な前記壁沿い梁よりも前記境界梁側に寄った位置に配置された内梁とを備えて構成され、
前記第１支持脚が、前記内梁に設けられていてもよい。
この構成によれば、洗い場の内壁のうち境界梁と平行な内壁から逆梁が張り出している場合や、洗い場の内壁のうち境界梁と平行な内壁に沿って既存配管が設けられている場合でも、第１支持脚を逆梁や既存配管と干渉させずに設けることができる。
【０００９】
本発明の浴室床は、
洗い場と浴槽とが並ぶ方向において、前記第２支持脚が前記洗い場パンの中央よりも前記浴槽側に寄った位置に配置されていてもよい。
この構成によれば、浴槽を設置せずに洗い場パンをフレームに載せた状態にしておけば、浴槽の設置予定領域側から床スラブと洗い場パンとの間に手を差し入れたときに、第２支持脚に手が届き易いので、第２支持脚を床スラブに設置する際の作業性が良い。
【００１０】
＜実施例１＞
以下、本発明を具体化した実施例１を図１〜図１５を参照して説明する。
【００１１】
＜浴室床２０の全体構成＞
本実施例の浴室床２０は、マンションや戸建て住宅の浴室１０内に設けられる。浴室１０は、機能上、洗い場１１と浴槽６６とで構成されている。浴室床２０は洗い場１１用の防水床として機能する。図１に示すように、浴室床２０は、金属製の洗い場用フレーム２１（本発明の構成要件であるフレーム）と、洗い場用フレーム２１に取り付けた５本の第１支持脚２８と、合成樹脂製の洗い場パン３０と、洗い場パン３０に取り付けた３本の第２支持脚４０とを備えて構成されている。また、浴室床２０には、排水トラップ５０と、浴槽用フレーム６０とが組み付けられるようになっている。尚、以下の説明における前後の方向については、便宜上、洗い場１１側を前側、浴槽６６側を後側ということにする。
【００１２】
＜洗い場用フレーム２１＞
図１，２に示すように、洗い場用フレーム２１は、全体として長辺を左右方向に向けた長方形をなし、長辺梁２２（本発明の構成要件である壁沿い梁）と、長辺梁２２の左右両端から後方へ直角に延出する左右対称な一対の短辺梁２３（本発明の構成要件である壁沿い梁）と、長辺梁２２と平行をなして左右両短辺梁２３の後端同士を連結する境界梁２４とを備えている。図２に示すように、長辺梁２２と短辺梁２３は、浴室１０の内壁１２のうち洗い場１１を構成する３面の内壁１２に沿うように配置される。境界梁２４は、洗い場１１と浴槽６６（浴槽領域１７）との境界に沿うように配置される。
【００１３】
洗い場用フレーム２１は、長辺梁２２及び境界梁２４と平行をなして、左右両短辺梁２３の間に張り渡された１本の内梁２５を備えている。内梁２５は、長辺梁２２よりも少し境界梁２４側へずれた位置、つまり、前後方向（洗い場１１と浴槽６６が並ぶ方向と平行な方向）において、洗い場用フレーム２１の中央よりも長辺梁２２側に寄った位置に配置されている。図１，４に示すように、境界梁２４の下面には、左右に間隔を空けた一対の連結脚２７が下向きに突出して固定されている。
【００１４】
＜第１支持脚２８＞
５本の第１支持脚２８は、いずれも、高さ調整（長さ調整）の機構（図示省略）を有している。図２，４に示すように、５本のうち３本の第１支持脚２８は、内梁２５の長さ方向における略中央位置と、内梁２５の両端部近傍位置とに設けられている。この３本の第１支持脚２８は、内梁２５から下方へ鉛直方向に突出している。５本のうち２本の第１支持脚２８は、連結脚２７に設けられている。２本の第１支持脚２８は、連結脚２７の下端面から下方へ鉛直方向に突出している。図２に示すように、内梁２５に設けた３本の第１支持脚２８のうち中央の第１支持脚２８は、左右方向において境界梁２４の第１支持脚２８の間に位置し、両側の２本の第１支持脚２８は、境界梁２４の第１支持脚２８よりも端部側に位置している。これらの第１支持脚２８は、その下端の位置を個別に上下方向に調節できるようになっている。第１支持脚２８の下端は、浴室１０の床スラブ１５（洗い場領域１６）の上面に載置されて接着されるようになっている。
【００１５】
＜洗い場パン３０＞
図３，４に示すように、洗い場パン３０は、全体として一枚板状をなし、床スラブ１５における洗い場領域１６の全体を覆うように左右方向に長い長方形をなす。洗い場パン３０は、洗い場用フレーム２１とほぼ整合する形状及び大きさとされている。洗い場パン３０の表面（上面）は、洗い場床となっていて、防水機能を備えている。洗い場パン３０の周縁部３１は、その全周に亘り、長辺梁２２の上面、短辺梁２３の上面、及び境界梁２４の上面に載置された状態で固定されるようになっている。
【００１６】
図１，４，１１に示すように、洗い場パン３０の上面は、前後方向においては後方（浴槽６６側）に向かって下り勾配となるように傾斜し、左右方向においては左右両端から中央に向かって下り勾配となるように傾斜している。図１，３，８に示すように、洗い場パン３０のうち最も低い位置（洗い場パン３０の後端縁における左右方向中央位置）には、上面を浅く凹ませた形態の収容凹部３２が形成されている。図１３に示すように、収容凹部３２の平面形状は、全体として方形をなす。収容凹部３２の底面には、洗い場パン３０の下面へ連通する貫通形態の円形の洗い場用排水口３３が形成されている。
【００１７】
図１，３，４に示すように、収容凹部３２には、目皿３５が取外し可能に収容されている。目皿３５の平面形状は、全体として収容凹部３２とほぼ整合するような方形をなし、目皿３５の外形寸法は、収容凹部３２の開口寸法よりも少し小さく設定されている。図１４に示すように、目皿３５の上面は、洗い場パン３０と同様に、前後方向においては後方（浴槽６６側）に向かって下り勾配となるように傾斜し、左右方向においては左右両端から中央に向かって下り勾配となるように傾斜している。
【００１８】
また、図１５に示すように、目皿３５の下面（裏面）には４つの脚部３６が突出形成されている。脚部３６は、平面形状がＬ字形をなしており、目皿３５の４つの角縁部に沿って配置されている。また、それぞれの脚部３６の下面には、円盤形のゴム５５が取り付けられている。目皿３５を収容凹部３２に正しく収容したときには、脚部３６によって、目皿３５の下面が収容凹部３２の底面から浮いた状態となる。したがって、洗い場パン３０の上面の湯水は、収容凹部３２の内周面と目皿３５の外周縁との隙間と、脚部３６の間と、目皿３５の下面と収容凹部３２の底面の隙間とを順に通過して洗い場用排水口３３から排出される。
【００１９】
図１３〜１５に示すように、収容凹部３２の４つの内周面のうち後面には、その左右両端部を除いた領域を後方へ浅く凹ませた形態の排水凹部３４が形成されている。排水凹部３４は、収容凹部３２の内周面に比べ目皿３５の外周縁との隙間が大きくなるため、洗い場パン３０の上面の湯水の多くは排水凹部３４から排水される。また、排水凹部３４は、目皿３５を取り外す際の手掛けにも利用できる。一方、目皿３５の４つの外周縁のうち１つの外周縁には、その長さ方向における中央から一方向へずれた位置から突出する向き決め突起３７が形成されている。目皿３５が、水平方向において正しい向きで収容凹部３２に嵌め込まれた状態では、向き決め突起３７が、排水凹部３４の一方の端部に対し、接近して対向又は当接するように位置する。
【００２０】
これに対し、目皿３５を、水平方向において不正な向きで収容凹部３２に嵌め込もうとしても、向き決め突起３７が収容凹部３２の開口縁と干渉するので、この干渉部分において目皿３５が浮いてしまい、目皿３５を収容凹部３２に収容することはできない。このように、排水凹部３４と向き決め突起３７により、目皿３５を収容部に対して正しい向きに収容することができる。
【００２１】
また、排水凹部３４は、前後方向の寸法に比べて左右方向の寸法が大きい。そして、排水凹部３４の左右両端部では、排水凹部３４の後面と左右両側面とが鈍角状をなしている。このように、排水凹部３４には狭小な角隅部が存在しないので、排水凹部３４の内面を清掃する際の作業性がよい。また、向き決め突起３７は、目皿３５の裏面から突出させるのではなく、目皿３５の外周から平面方向外側へ突出させている。したがって、目皿３５の裏面の形状が簡素化され、清掃がし易くなっている。さらに、向き決めを目皿３５の外周と排水凹部３４で行うため、収容凹部３２内に向き決め用の突起を設ける必要が無く、また、排水凹部３４と同様、狭小な角隅部も存在しないので、収容凹部３２の内面を清掃する際の作業性がよい。
【００２２】
図４，１１，１２に示すように、洗い場パン３０の下面（裏面）には、洗い場パン３０の上面に作用する負荷に対する剛性を高める手段として、洗い場パン３０と略直角に下方へ突出する複数のリブ３８が、洗い場パン３０の全領域に亘って形成されている。リブ３８は、前後方向及び左右方向に沿って格子状に配置されている。洗い場パン３０と床スラブ１５との隙間には、排水トラップ５０に接続された排水パイプ５４が配管されるのであるが、図１２に示すように、排水パイプ５４の配管位置が比較的低く、洗い場パン３０の高さが比較的高い領域では、リブ３８の下方への突出寸法を必要寸法だけ確保して洗い場パン３０の強度アップを十分に実現しても、リブ３８が排水パイプ５４と干渉することはない。尚、排水パイプ５４の高さは、左右方向におる中央部で高くなっているため、リブ３８の下方への突出寸法は、左右方向両端部に比べて左右方向中央部を小さく設定しているが、左右方向中央部における洗い場パン３０の剛性は、十分に確保されている。
【００２３】
また、排水パイプ５４の配管位置が比較的高く、洗い場パン３０の高さが比較的低い領域では、図１１に示すように、リブ３８の下方への突出寸法が、左右方向の全領域に亘って概ね同じ寸法とされている。しかし、排水パイプ５４の高さが比較的高いので、リブ３８の左右方向中央部、即ち、排水パイプ５４と対応する位置には、排水パイプ５４との干渉を回避するための切欠部３９が形成されている。また、排水トラップ５０は、洗い場パン３０と床スラブ１５との隙間に配置され、洗い場パン３０のうち前後方向及び左右方向において最も低い領域と対応するように配置されている。したがって、リブ３８のうち排水トラップ５０と対応する領域には、排水トラップ５０との干渉を回避するための切欠部（図示省略）が形成されている。
【００２４】
＜第２支持脚４０＞
図１，８に示すように、洗い場パン３０には、高さ調整（長さ調整）の機構（図示省略）を有する３本の第２支持脚４０が設けられている。洗い場パン３０のうち周縁部３１で囲まれた中央領域は、この３本の第２支持脚４０によって支持されるようになっている。３本の第２支持脚４０は、洗い場パン３０の下面から下方へ鉛直方向に突出している。第２支持脚４０は、その下端の位置を個別に上下方向に調節できるようになっている。そして、第２支持脚４０の下端は、浴室１０の床スラブ１５（洗い場領域１６）の上面に載置されて接着されるようになっている。
【００２５】
図３に示すように、３本の第２支持脚４０は、左右方向に一列に配置されている。３本の第２支持脚４０のうち両端の２本の第２支持脚４０は、左右方向において両端に配置された２本の第１支持脚２８と対応するように配置されている。また、左右方向において、右側の第２支持脚４０と中心近くの第２支持脚４０との間には、境界梁２４の右側の第１支持脚２８が位置し、左側の第２支持脚４０と中心近くの第２支持脚４０との間には、境界梁２４の左側の第１支持脚２８が位置する。つまり、第２支持脚４０と、第２支持脚４０よりも浴槽６６側に位置する境界梁２４の第１支持脚２８とは、互いに左右方向にずれた位置関係となっている。３本の第２支持脚４０は、前後方向において、内梁２５と境界梁２４との間の位置であって、内梁２５よりも境界梁２４に近い位置に配置されている。つまり、第２支持脚４０は、前後方向において、洗い場用フレーム２１の中央よりも浴槽６６側に寄った位置に配置されている。
【００２６】
＜排水トラップ５０＞
図１，２，４に示すように、排水トラップ５０は、上面に開口する洗い場用流入口５１と、上面に開口する浴槽用流入口５２と、前面に開口する流出口５３とを有する。排水トラップ５０は、床スラブ１５と洗い場パン３０との間の隙間、及び床スラブ１５と浴槽用防水パン６４との間の隙間に配置される。洗い場用流入口５１は、洗い場パン３０の洗い場用排水口３３に接続され、浴槽用流入口５２は、浴槽用防水パン６４の浴槽用排水口６５に接続される。流出口５３には、排水パイプ５４の上流端が接続される。
【００２７】
＜浴槽用フレーム６０＞
図１，２に示すように、浴槽用フレーム６０は、前後方向に細長い左右一対の側梁６１と、左右方向に細長くて左右両側梁６１を連結する前後一対の連結梁６２とを備えて構成されている。各側梁６１の前端部は、連結脚２７に結合されるようになっている。側梁６１と連結梁６２は、洗い場用フレーム２１よりも低い位置に設置される。各側梁６１の後端部近くには、夫々、高さ調整（長さ調整）の機構（図示省略）を有する第３支持脚６３が１本ずつ設けられている。第３支持脚６３は、側梁６１の下面から下方へ鉛直方向に突出している。第３支持脚６３は、その下端の位置を個別に上下方向に調節できるようになっている。そして、第３支持脚６３の下端は、床スラブ１５の浴槽領域１７の上面に載置されて接着されるようになっている。
【００２８】
＜浴槽用防水パン６４、浴槽６６、エプロン６７＞
図４に示すように、浴槽用フレーム６０には、上面と前面（洗い場１１側の側面）が開放された箱状をなす浴槽用防水パン６４が、載置した状態で固定されている。浴槽用防水パン６４の底面には浴槽用排水口６５が貫通形成されている。浴槽用防水パン６４内には、湯を貯留するための浴槽６６が収容される。浴槽用防水パン６４には、浴槽６６における洗い場１１側の外面を覆い隠すためのエプロン６７が取り付けられる。エプロン６７は、浴槽用防水パン６４に組み付けられるエプロン本体６９と、エプロン本体６９に組み付けられる化粧板６８とで構成される。エプロン本体６９には点検口６９Ａが形成されている。化粧板６８の表面は、洗い場１１に臨む。
【００２９】
＜浴室床２０及び浴槽６６等の施工手順＞
浴室１０内における浴室床２０の設置等は、次の手順で行う。まず、洗い場用フレーム２１を浴室１０内に搬入し、長辺梁２２と短辺梁２３を、浴室１０の内壁１２のうち洗い場１１に臨む内壁１２に当接させ、第１支持脚２８を床スラブ１５に載置する。そして、５本の第１支持脚２８の長さを調整することにより、各枠２２，２３，２４，２５が水平となるようにレベル調整する。洗い場用フレーム２１をレベル調節した後は、全ての第１支持脚２８を床スラブ１５に接着して固定する。
【００３０】
また、５本の第１支持脚２８のうち洗い場用フレーム２１の長辺に沿った３本の第１支持脚２８は、長辺梁２２ではなく、長辺梁２２よりも浴槽６６側（つまり、内壁１２から遠ざかる方向）へ退避した内梁２５に設けられている。したがって、図４に示すように、洗い場１１の内壁１２のうち浴槽６６とは反対側の内壁１２に沿うように逆梁や既存配管等の張出部１３が張り出していたとしても、この３本の第１支持脚２８が張出部１３と干渉することはない。
【００３１】
洗い場用フレーム２１を設置した後は、境界梁２４の長さ方向中央にブラケット４２を取付ける。次に、このブラケット４２に、排水トラップ５０を組み付ける。排水トラップ５０を組み付けた状態では、洗い場用流入口５１と浴槽用流入口５２とが境界梁２４を挟むように配置される。排水トラップ５０を組み付けた後は、洗い場１１に排水パイプ５４を配索し、排水パイプ５４の上流端を、排水トラップ５０の流出口５３に接続する。
【００３２】
この排水トラップ５０の組み付け作業と、排水パイプ５４の配索作業と、排水トラップ５０と排水パイプ５４の接続作業は、いずれも、洗い場用フレーム２１に洗い場パン３０を取り付ける前に行われる。洗い場パン３０を取り付ける前の状態では、洗い場１１内に存在するのは、洗い場１１の外周縁に沿って配置された長辺梁２２、短辺梁２３、境界梁２４と、長辺梁２２に近い位置に配置された内梁２５だけである。つまり、洗い場１１の大部分は、排水トラップ５０の組み付け作業や排水パイプ５４の配索作業及び接続作業の邪魔になるような他部材が存在せず、開放された領域となっている。
【００３３】
排水トラップ５０の組み付けと排水パイプ５４の接続が完了した後、洗い場用フレーム２１に洗い場パン３０を載せて固定する。このとき、洗い場パン３０の周縁部３１を、長辺梁２２の上面と短辺梁２３の上面と境界梁２４の上面に当接させる。これにより、洗い場パン３０の周縁部３１が、全周に亘って洗い場用フレーム２１に支持される。そして、載置した周縁部３１を、長辺梁２２と短辺梁２３に固定する。
【００３４】
ここで、長辺梁２２と洗い場パン３０の固定構造（支持構造）を説明する。図５に示すように、洗い場パン３０の周縁部３１には、断面が略Ｕ字形をなすように屈曲して上面に溝４４を開口させた形態の屈曲部４３が形成されている。屈曲部４３は、長辺梁２２の上面に直接、載置されている。屈曲部４３と長辺梁２２とは、溝４４の底面を上下に貫通して長辺梁２２の上面にねじ込まれたビス４５で固定されている。溝４４内には、ビス４５の貫通部分をシールするためのシリコン製のシール材４６が充填されている。溝４４の開口部に支持バー４７が嵌合され、支持バー４７の上面には、内壁パネル１４の下端縁部が固着されている。支持バー４７と内壁パネル１４の下端縁との隙間は、その隙間をシールするためにシリコン製のシール材４８が充填されている。短辺梁２３及び境界梁２４と洗い場パン３０の固定構造は、長辺梁２２と同じである。
【００３５】
また、洗い場用フレーム２１に載置した洗い場パン３０は、排水トラップ５０と排水パイプ５４を上から覆い隠す。洗い場パン３０の底面には、その全領域に亘って補強用のリブ３８が格子状に形成されているため、リブ３８が排水トラップ５０や排水パイプ５４と干渉することが懸念される。しかし、本実施例では、リブ３８に切欠部３９を形成しているので、リブ３８が排水トラップ５０や排水パイプ５４と干渉する虞はない。また、切欠部３９が形成されているのは、干渉回避のための必要最小限の部分だけであるから、切欠部３９が形成されても、リブ３８全体としての強度アップ機能は殆ど損なわれず、洗い場パン３０の剛性は充分に保たれる。
【００３６】
洗い場パン３０を洗い場用フレーム２１に固定した後、洗い場用流入口５１と洗い場用排水口３３とを液密状に接続して固定する。この後、３本の第２支持脚４０の長さを調整し、第２支持脚４０の下端を床スラブ１５（洗い場領域１６）の上面に届かせる。全ての第２支持脚４０が床スラブ１５に当接して載置されたら、接着剤により第２支持脚４０を床スラブ１５に固定する。この第２支持脚４０により、洗い場パン３０の中央部分が支持される。洗い場パン３０の周縁部３１は洗い場用フレーム２１によって支持されているので、洗い場パン３０は、その全領域に亘って安定して支持される。
【００３７】
第２支持脚４０の長さ調整と接着の作業は、浴槽用防水パン６４を設置する前に行われるので、作業者は浴槽領域１７側から洗い場パン３０と床スラブ１５との隙間に手を差し入れて作業することができる。ここで、３本の第２支持脚４０は、前後方向（洗い場１１と浴槽６６とが並ぶ方向）において、洗い場パン３０の中央よりも浴槽６６（浴槽領域１７）側に寄った位置に配置されているので、第２支持脚４０に手が届き易い。しかも、第２支持脚４０は、配前後方向においては排水パイプ５４よりも浴槽領域１７側の位置に配置され、左右方向においては排水トラップ５０からずれた位置に配置されている。したがって、浴槽領域１７側から第２支持脚４０に向かって手を延ばしたときに、排水パイプ５４や排水トラップ５０が邪魔にならずに済む。以上のように、第２支持脚４０を床スラブ１５に設置する際の作業性に優れている。
【００３８】
洗い場パン３０の設置が完了した後は、浴槽６６側の設置作業を行う。まず、浴槽領域１７に浴槽用フレーム６０を搬入し、側梁６１の前端部を洗い場用フレーム２１の連結脚２７に、軸線を左右方向に向けたボルト（図示省略）を介して仮組みする。これにより、浴槽用フレーム６０が水平方向において位置決めされる。そして、第３支持脚６３を長さ調整して、側梁６１と連結梁６２が水平となるようにレベル調整する。浴槽用フレーム６０をレベル調節した後は、全ての第３支持脚６３を床スラブ１５に接着して固定するとともに、ボルトにナット（図示省略）を締め付けて洗い場用フレーム２１（連結脚２７）と浴槽用フレーム６０（側梁６１）とを固定する。この後、浴槽用フレーム６０に浴槽用防水パン６４を載せて固定し、浴槽用防水パン６４内に浴槽６６を収容して固定する。そして、浴槽用排水口６５と浴槽用流入口５２を接続する。最後に、浴槽用防水パン６４の前面（洗い場１１側の外面）にエプロン６８を組み付ける。以上により、浴槽６６等の設置が完了する。
【００３９】
＜実施例の作用及び効果＞
本実施例は、洗い場用フレーム２１を床スラブ１５に設置した状態で排水トラップ５０や排水パイプ５４の配管作業等を行い易く、しかも、洗い場パン３０を全領域に亘って安定して支持できる浴室床２０を提供することを課題としている。課題解決の手段としては、本実施例の浴室床２０は、洗い場パン３０と、洗い場パン３０の周縁部３１を載せた状態で支持する洗い場用フレーム２１と、洗い場用フレーム２１から下方へ延びて床スラブ１５に載置される第１支持脚２８と、洗い場パン３０のうち周縁部３１で囲まれた領域に設けられ、下方へ延びて床スラブ１５に載置される第２支持脚４０とを備えている。
【００４０】
この浴室床２０は、洗い場パン３０の周縁部３１を洗い場用フレーム２１と第１脚部３６とで支持するとともに、洗い場パン３０のうち周縁部３１で囲まれた領域を第２支持脚４０で支持しているので、洗い場パン３０を全領域に亘って安定して支持することができる。また、洗い場用フレーム２１の中央部には、洗い場パン３０を支持するための格子状の桟を張り渡す必要がないので、洗い場用フレーム２１を床スラブ１５に設置した状態で、洗い場パン３０上の水を排出するための配管作業を行う際に、作業性に優れている。
【００４１】
＜他の実施例＞
本発明は上記記述及び図面によって説明した実施例に限定されるものではなく、例えば次のような実施例も本発明の技術的範囲に含まれる。
（１）上記実施例では、第１支持脚を内梁と境界梁だけに設けたが、第１支持脚は、内梁と境界梁に限らず、長辺梁や短辺梁に設けてもよい。
（２）上記実施例では、第１支持脚の数を５本としたが、第１支持脚の数は、４本以下でも、６本以上でもよい。
（３）上記実施例では、フレームの外周に沿った長辺梁（壁沿い梁）、短辺梁（壁沿い梁）及び境界梁だけで洗い場パンを支持するようにしたが、長辺梁（壁沿い梁）、短辺梁（壁沿い梁）及び境界梁以外にも、洗い場パンを支持するための梁を設けてもよい。この場合、排水トラップや排水管の配管経路と干渉せず、配管作業に支障がないような位置に配置することが望ましい。
（４）上記実施例では、第２支持脚の数を３本としたが、第２支持脚の数は、２本以下でも、４本以上でもよい。
（５）上記実施例では、洗い場と浴槽の並び方向において、第２支持脚を洗い場パンの中央よりも浴槽側に寄った位置に配置したが、第２支持脚は、洗い場と浴槽との並び方向において、洗い場パンの中央に配置してもよく、洗い場の中央よりも浴槽とは反対側に寄った位置に配置してもよい。
（６）上記実施例では、洗い場用フレームと浴槽用フレームとを別体の部材として浴室内で組み付けたが、洗い場用フレームと浴槽用フレームを一体部材として浴室内に搬入してもよい。
（７）上記実施例では、洗い場用フレームと洗い場パンと排水トラップを浴室内で組み付けたが、本実施例の浴室床は、予め、工場内で洗い場用フレームと洗い場パンと排水トラップを組み付けてユニット化しておき、それを浴室内に搬入する場合にも用いることが可能である。
（８）上記実施例では、洗い場パンと浴槽用防水パンとを別体の部材として浴室内で組み付けたが、洗い場パンと浴槽用防水パンを一体部材として浴室内に搬入してもよい。
【符号の説明】
【００４２】
１０…浴室
１１…洗い場
１５…床スラブ
２０…浴室床
２１…洗い場用フレーム（フレーム）
２２…長辺梁（壁沿い梁）
２３…短辺梁（壁沿い梁）
２４…境界梁
２５…内梁
２８…第１支持脚
３０…洗い場パン
３１…洗い場パンの周縁部
４０…第２支持脚
６６…浴槽
【図１】
2014009523.tif 000003
【図２】
2014009523.tif 000004
【図３】
2014009523.tif 000005
【図４】
2014009523.tif 000006
【図５】
2014009523.tif 000007
【図６】
2014009523.tif 000008
【図７】
2014009523.tif 000009
【図８】
2014009523.tif 000010
【図９】
2014009523.tif 000011
【図１０】
2014009523.tif 000012
【図１１】
2014009523.tif 000013
【図１２】
2014009523.tif 000014
【図１３】
2014009523.tif 000015
【図１４】
2014009523.tif 000016
【図１５】
2014009523.tif 000017